(57)【特許請求の範囲】
【請求項１】
複数の光変調素子を２次元配列させた光変調素子アレイと、
前記光変調素子アレイで反射した光を、被描画体の露光面に結像させる投影光学系と、
前記光変調素子アレイで反射した光の投影エリアを、露光面に対して相対移動させる走査部と、
ベクタデータであるパターンデータをラスタデータに変換し、ラスタデータに応じて各光変調素子を制御する露光動作処理部とを備え、
前記投影光学系が、前記光変調素子アレイで反射した光によるパターン像を分割し、主走査方向に沿って所定の配置間隔で並ぶとともに副走査方向に沿って位置が相違するように、複数の分割パターン像を形成する画像分割光学系を備え、
前記露光動作処理部が、前記複数の分割パターン像による複数の部分投影エリアであって複数の走査バンドに沿ってそれぞれ相対移動する複数の部分投影エリアの中で１つの部分投影エリアの主走査方向に沿った位置を共通の基準位置とし、その基準位置に合わせて複数の走査バンドに対する複数のラスタデータを生成するラスタデータ生成部と、
走査中に順次生成される一連の複数のラスタデータの中から、複数の部分投影エリアの位置に応じたラスタデータを抽出して統合し、前記光変調素子アレイ全体に対する露光データを生成する露光データ生成部とを備えたことを特徴とする露光装置。
【請求項２】
前記露光データ生成部は、複数のラスタデータがそれぞれ一時的に格納される複数のメモリを有し、
前記複数のメモリが、それぞれバッファメモリで構成されており、前記複数の部分投影エリアの互いの距離間隔に基づいて互いに異なるメモリ容量をそれぞれ有し、
前記複数のメモリに対し基準位置に応じた複数のラスタデータが同時に入力されるとともに、複数の部分投影エリアの位置に対応する複数のラスタデータが前記複数のメモリからそれぞれ出力されることを特徴とする請求項１に記載の露光装置。
【請求項３】
前記露光データ生成部は、それぞれ複数のＦＩＦＯ型バッファメモリを有し、
前記複数のＦＩＦＯ型バッファメモリが、前記複数の部分投影エリアそれぞれの基準位置からの主走査方向に沿った距離間隔に応じて、互いに異なるメモリサイズを有することを特徴とする請求項２に記載の露光装置。
【請求項４】
前記複数のＦＩＦＯ型バッファメモリはシフトレジスタであることを特徴とする請求項３に記載の露光装置。
【請求項５】
感光材料を塗布もしくは貼り付けた基板に対し、パターンを形成する描画処理を実行する工程を含む基板の製造方法において、
請求項１に記載された露光装置を用いて描画処理を行うことを特徴とする基板の製造方法。
【請求項６】
複数の光変調素子を２次元配列させた光変調素子アレイを用いて描画処理を行う露光方法において、
前記光変調素子アレイで反射した光を、投影光学系を用いて被描画体の露光面に結像させ、
前記光変調素子アレイで反射した光の投影エリアを、走査部を用いて露光面に対して相対移動させ、
露光動作処理部を用いて、ベクタデータであるパターンデータをラスタデータに変換し、ラスタデータに応じて各光変調素子を制御する露光方法であって、
前記投影光学系に設けられる画像分割光学系を用いて、前記光変調素子アレイで反射した光によるパターン像を分割し、主走査方向に沿って所定の配置間隔で並ぶとともに副走査方向に沿って位置が相違するように複数の分割パターン像を形成し、
前記露光動作処理部を用いて、複数の分割パターン像による複数の部分投影エリアであって複数の走査バンドに沿ってそれぞれ相対移動する複数の部分投影エリアの中で１つの部分投影エリアの主走査方向に沿った位置を共通の基準位置とし、その基準位置に合わせて複数の走査バンドに対する複数のラスタデータを生成し、そして、走査中に順次生成される一連の複数のラスタデータの中から、複数の部分投影エリアの位置に応じたラスタデータを抽出して統合し、前記光変調素子アレイ全体に対する露光データを生成することを特徴とする露光方法。
【発明の詳細な説明】
【技術分野】
【０００１】
本発明は、ＤＭＤ（Digital Micro-mirror Device）などによってパターンを直接描画するマスクレス露光装置に関し、特に、露光面にパターン像を投影する光学系に関する。
【背景技術】
【０００２】
ＤＭＤを備えたマスクレス露光装置では、光変調素子（セル）をマトリクス状に２次元配列させた光変調素子アレイを制御して露光動作を行い、パターンを基板の描画面へ直接形成する。具体的には、光源から放射された照明光がＤＭＤに導かれると、投影対象となるエリアに形成すべきパターンに従い、ＤＭＤの各マイクロミラーがＯＮ／ＯＦＦ制御される。ＤＭＤ上で反射した光は投影光学系によって結像され、パターン像が露光面に形成される。
【０００３】
露光装置においては、ＤＭＤにより反射したパターン光を分割し、副走査方向に沿って複数の分割パターン像を投影することが可能である。例えば、ＤＭＤで反射した光を２つのミラーによって分割し、２つのパターン像を互いに離れた位置に形成する（特許文献１参照）。
【０００４】
そこでは、中間部のミラーを除いてＤＭＤを２つの領域に分割し、互いに反対方向へ光を導く２つのミラーを交差するように隣り合わせに配置する。ＤＭＤの各分割領域のミラー群は、別々に用意されるデータ処理部が作成する露光データに基づいてＯＮ／ＯＦＦ制御され、パターン像が別々に形成される。
【０００５】
一方、３分割ミラーを配置して、３つのパターン像を副走査方向に並べて配置することも可能である（特許文献２参照）。３分割ミラーは、ＤＭＤを３等分して規定される分割エリアに従い、それぞれ配置角度の異なる３つの反射面を備えており、３つの分割像を副走査方向に隣接させながら投影する。
【０００６】
分割された画像の境界ライン付近では、３分割ミラーの影響によって光量不足となる。特に、高精度のパターン像が要求される場合、その影響が顕著に現れる。そのため、投影光学系の境界付近のミラー群からの反射光が通過する部分に遮光膜を設ける、あるいは境界付近に配列されたミラー群をあらかじめ除外し、光量不足のないミラー群だけからの反射光によってパターン像を投影する。
【先行技術文献】
【特許文献】
【０００７】
【特許文献１】特開２００９−８７９９５号公報
【特許文献２】特開２００７−３０４５１７号公報
【発明の概要】
【発明が解決しようとする課題】
【０００８】
複数の分割パターン像が主走査方向に沿って互いに間隔のある場合、各分割パターン像の実際の投影位置に合わせてラスタデータをそれぞれ生成すると、描画領域の開始、終了付近において、描画領域外のエリアについても投影位置がずれている分だけラスタデータ生成処理が必要となり、余分な余白処理を行わなければならない。
【０００９】
また、分割パターン像の投影エリアごとにラスタデータ処理を行わなければならず、分割の数が多くなるほど、制御負担が大きくなる。
【００１０】
したがって、各走査バンドに対するラスタデータ生成処理と、光変調素子アレイに対する露光データ生成処理とを効果的に繋ぎ合わせ、処理スピードのあるスムーズな描画処理を簡易な構成で行う必要がある。
【課題を解決するための手段】
【００１１】
本発明の露光装置は、複数の光変調素子を２次元配列させた光変調素子アレイと、光変調素子アレイで反射した光を、被描画体の露光面に結像させる投影光学系と、光変調素子アレイで反射した光の投影エリアを、露光面に対して相対移動させる走査部と、パターンデータに応じて各光変調素子を制御する露光動作処理部とを備え、投影光学系が、光変調素子アレイで反射した光によるパターン像を分割し、副走査方向に沿って所定の配置間隔で並ぶように複数の分割パターン像を形成する画像分割光学系を備える。
【００１２】
そして、露光動作処理部は、複数の分割パターン像による複数の部分投影エリアの中で１つの部分投影エリアの主走査方向に沿った位置を共通の基準位置とし、その基準位置に合わせて複数のラスタデータを生成するラスタデータ生成部と、走査中に順次生成される一連の複数のラスタデータの中から、複数の部分投影エリアの位置に応じたラスタデータを抽出して統合し、光変調素子アレイ全体に対する露光データを生成する露光データ生成部とを備える。
【００１３】
本発明によれば、ラスタデータ生成において共通の基準位置に基づいた一連のラスタデータが生成されるとともに、タイミング調整によって実際の分割画像データの位置に応じたラスタデータを統合し、露光データを生成する。
【００１４】
これにより、ラスタデータ生成処理、露光データ生成処理を別々に実行しても、分割画像の距離間隔に応じたデータの出力タイミング調整等によって、同期させることができる。その結果、余分なデータ処理することなく描画処理を行うことができる。
【００１５】
また、ラスタデータの生成、読み出しについては、分割パターン像それぞれに対して別々に処理するのではなく、データ読み出し等の制御処理は共通化される。そのため、簡易な回路構成によって実現することが可能である。
【００１６】
簡易な構成によって出力タイミング調整することを考慮すれば、バッファメモリなどの一時的データ格納可能なメモリを設けるのがよい。例えば、露光データ生成部は、複数の分割パターン像に対応した、複数のラスタデータが一時的に格納される複数のメモリを備え、複数の部分投影エリアの位置に合わせてラスタデータの複数のメモリからの出力タイミングを調整するのがよい。
【００１７】
例えば、露光データ生成部は、複数のラスタデータがそれぞれ格納される複数のＦＩＦＯ型バッファメモリを備え、複数のＦＩＦＯ型バッファメモリが、複数の部分投影エリアそれぞれの基準位置からの主走査方向に沿った距離間隔に応じて、互いに異なるメモリサイズを有する。このような構成により、ラスタデータのメモリからの出力タイミングを同期させながら、互いに異なる投影位置のラスタデータを統合した露光データを生成することができる。
【００１８】
さらにバッファメモリをシフトレジスタによって構成することにより、より簡易に出力タイミングを同期させながら、ラスタデータを統合して露光データを生成することができる。
【００１９】
本発明の基板の製造方法は、プリント基板製造の回路パターン形成工程、ソルダーレジスト工程などに適用可能であり、感光材料を塗布もしくは貼り付けた基板に対し、パターンを形成する描画処理を実行する工程を含む。回路パターン形成工程などにおいては、さらに、描画処理された基板に対して現像処理を施し、現像処理された基板に対してエッチングまたはメッキ処理を施し、エッチングまたはメッキ処理された基板に対して感光材料の剥離処理を行う。
【００２０】
本発明の露光方法は、複数の光変調素子を２次元配列させた光変調素子アレイを用いて描画処理を行う露光方法において、光変調素子アレイで反射した光を、投影光学系を用いて被描画体の露光面に結像させ、光変調素子アレイで反射した光の投影エリアを、走査部を用いて露光面に対して相対移動させ、露光動作処理部を用いて、パターンデータに応じて各光変調素子を制御する露光方法であって、投影光学系に設けられる画像分割光学系を用いて、光変調素子アレイで反射した光によるパターン像を分割し、副走査方向に沿って所定の配置間隔で並ぶように複数の分割パターン像を形成し、露光動作処理部を用いて、複数の分割パターン像による複数の部分投影エリアの中で１つの部分投影エリアの主走査方向に沿った位置を共通の基準位置とし、その基準位置に合わせて複数のラスタデータを生成し、そして、走査中に順次生成される一連の複数のラスタデータの中から、複数の投影エリアの位置に応じたラスタデータを抽出して統合し、光変調素子アレイ全体に対する露光データを生成することを特徴とする。
【発明の効果】
【００２１】
本発明によれば、ラスタデータ生成処理と露光データ生成処理を含む一連の露光動作に関するデータ処理において、簡易な構成ながら、処理スピードの優れたデータ処理を行うことができる。
【図面の簡単な説明】
【００２２】
【図１】第１の実施形態である露光装置を模式的に示した斜視図である。
【図２】露光ヘッドの内部構成を模式的に示した図である。
【図３】３つの分割パターン像に応じたＤＭＤにおける分割領域を示した図である。
【図４】露光面に投影される３つの分割パターン像の位置を示した図である。
【図５】画像分割光学系の概略的斜視図である。
【図６】画像分割光学系の概略的分解斜視図である。
【図７】画像分割光学系の一部構成を示した図である。
【図８】描画装置に設けられた描画制御部のブロック図である。
【図９】バッファメモリの容量およびラスタデータ生成位置を示した図である。
【図１０】分割パターン像の投影位置を示した図である。
【図１１】ラスタデータ生成処理を示したフローチャートである。
【図１２】露光データ生成処理、露光動作処理を示したフローチャートである。
【図１３】第２の実施形態における画像分割光学系の概略的斜視図である。
【図１４】第２の実施形態における分割パターン像の投影位置を示した図である。
【発明を実施するための形態】
【００２３】
以下では、図面を参照して本発明の実施形態について説明する。
【００２４】
図１は、第１の実施形態である露光装置を模式的に示した斜視図である。
【００２５】
露光装置１０は、フォトレジストなどの感光材料を塗布した（あるいは貼り付けた）基板ＳＷへパターン光を直接照射するマスクレス露光装置であって、ゲート状構造体１２、基台１４を備える。基台１４には、描画テーブル１８を支持するＸ−Ｙステージ駆動機構５６が搭載され、描画テーブル１８上に基板ＳＷが設置される。
【００２６】
ゲート状構造体１２には光源２０ａ、２０ｂが備えられており、また、パターン形成用の露光ヘッド２０１、２０２が基板ＳＷの上方に並んで配設されている。露光ヘッド２０１は、ＤＭＤ（Digital Micro-mirror Device）、投影光学系（ここでは図示せず）を備え、光源２０ａから放射される光に基づいてパターン像を基板ＳＷに投影する。露光ヘッド２０２も同様の構成であり、光源２０ｂの光によってパターン像を投影する。
【００２７】
矩形状の基板ＳＷは、例えばプリント基板、ドライフィルム、ガラス基板などの電子回路用基板であり、プリベイク処理、感光剤慮の塗布／貼り付け処理等が施されたブランクスの状態で描画テーブル１８に搭載される。基板ＳＷ（描画テーブル１８）には、互いに直交するＸ−Ｙ−Ｚ座標系が規定されており、描画テーブル１８はＸ、Ｙ方向に沿って移動可能であり、さらに、Ｚ軸周りに回転可能である。ここでは、Ｘ方向を主走査方向、Ｙ方向を副走査方向と規定する。
【００２８】
露光装置１０は、露光動作を制御する描画制御部（ここでは図示せず）を備える。描画制御部には、ここで図示しないモニタ、キーボードなどが接続されており、オペレータの操作に従って描画処理に関するセッティングが行われる。突出部３１に設けられたＣＣＤ１９は、基板ＳＷの変形状態を検出し、アライメントが調整された後に露光動作が行われる。
【００２９】
図２は、露光ヘッド２０１の内部構成を模式的に示した図である。露光ヘッド２０２も同様の内部構成になっている。
【００３０】
光源である超高圧水銀ランプ２０ａは、紫外光である照明光を放射し、照明光学系３２へ導かれる。照明光学系３２によって平行光に成形された光は、ミラー群（図示せず）を経てＤＭＤ２２に導かれる。ＤＭＤ２２は、数μｍ〜数十μｍの微小矩形状マイクロミラーをマトリクス状に２次元配列させた光変調デバイスであり、ここでは１０２４×７６８のマイクロミラーによって構成される。なお、光源２０ａは超高圧水銀ランプに限らず、ＬＤ、ＬＥＤなど他の光源を用いることも可能である。また、光源２０ｂについても、光源２０ａと同様の構成となっている。
【００３１】
ＤＭＤ２２では、メモリセルに格納される制御信号（露光データ）に基づいて、各マイクロミラーがそれぞれ選択的にＯＮ／ＯＦＦ制御される。ＯＮ状態のマイクロミラーで反射した光は投影すべきパターンに応じた光束であり、ミラー（図示せず）を介して投影光学系２４へ導かれる。
【００３２】
投影光学系２４は、パターン光を基板ＳＷの露光面に結像させる光学系であり、第１結像光学系２６、画像分割光学系２７、第２結像光学系２８を備える。第１結像光学系２６は、ＤＭＤ２２からのパターンに応じた光を焦点位置にある結像面（第１結像面）に結像させるとともに、パターン像全体を所定倍率で拡大する。
【００３３】
画像分割光学系２７は、後述するように、第１結像光学系２６の結像面に形成されるパターン像を、結像面上において３分割し、３つのパターン像（以下、分割パターン像という）を形成する。画像分割光学系２７によって形成された３つの分割パターン像は、第２結像光学系２８によって露光面に形成される。像形成に関して言えば、画像分割光学系２７は第２結像光学系２８に組み込まれた光学系とみなすことができ、第２結像光学系２８の前側焦点位置にある結像面は第１結像光学系２６の結像面（焦点位置）に一致し、また、後側焦点位置にある結像面は、基板ＳＷの露光面と一致する。
【００３４】
基板ＳＷが主走査方向Ｘに沿って移動するのに伴い、ＤＭＤ２２による投影エリア（露光エリア）は基板ＳＷに対して相対的に移動する。投影エリアの位置に応じたパターン光を照射するように露光動作が定められた露光ピッチに従って実行される。これにより、パターンが主走査方向に沿って形成されていく。
【００３５】
他の露光ヘッド２０２も同様であり、ラスタ走査をしながら露光動作が行われ、基板全体にパターンが形成されていく。描画処理が終了すると、現像処理、エッチング又はメッキ、レジスト剥離処理などが施され、パターンの形成された基板が製造される。
【００３６】
ここでは基板ＳＷの移動方向を主走査方向に一致させているが、基板ＳＷを主走査方向Ｘに対し微小傾斜した状態で描画テーブル１８に配置してもよい。この場合、描画テーブル１８が主走査方向Ｘに沿って移動するとき、露光エリアは基板ＳＷの長手方向（Ｘ方向）に対し傾斜した状態で相対移動する。
【００３７】
露光方式としては、ステップ＆リピート方式あるいは連続移動方式による多重露光方式が適用可能である。ステップ＆リピート方式では、描画テーブル１８は間欠的にＸ方向に沿って移動し、それに合わせて各マイクロミラーがＯＮ／ＯＦＦ制御される。一方、連続移動方式では、描画テーブル１８が連続的に移動しながら露光ピッチに応じて各マイクロミラーがＯＮ／ＯＦＦ制御される。ここでは、連続移動方式が適用されている。
【００３８】
次に、図３、４を用いて、パターン像の分割および投影位置について説明する。
【００３９】
図３は、３つの分割パターン像に応じたＤＭＤにおける分割領域を示した図である。図４は、露光面に投影される３つの分割パターン像の位置を示した図である。
【００４０】
図３に示すように、ＤＭＤ２２の反射面には、主走査方向に応じた横方向に関して３等分した部分領域ＤＭ１、ＤＭ２、ＤＭ３（以下、分割反射領域という）が規定されている。ＤＭＤ２２全体によるパターン像は、画像分割光学系２７によって部分領域ＤＭ１、ＤＭ２、ＤＭ３ごとに異なる位置へ投影される。
【００４１】
図４に示すように、画像分割光学系２７によって生成される３つの分割パターン像ＭＰ１、ＭＰ２、ＭＰ３は、副走査方向Ｙに沿って配列し、それぞれ走査バンドＳＢ１〜ＳＢ３に投影される。
【００４２】
画像分割光学系２７が設けられない場合、ＤＭＤ２２全体から成る投影エリア（露光エリア）は、走査バンドＳＢ２に沿って相対移動するが（図４では符号ＴＡで表す）、本実施形態では、ＤＭＤ２２の部分領域ＤＭ１、ＤＭ３に応じた投影エリアＴＡ１、ＴＡ３（以下、部分投影エリアという）が、走査バンドＳＢ２の上下に隣接する走査バンドＳＢ１、ＳＢ３に沿ってそれぞれ相対移動し、中間部の部分投影エリアＴＡ２だけが走査バンドＳＢ２に沿って相対移動する。
【００４３】
３つの部分投影エリアＴＡ１、ＴＡ２、ＴＡ３は、一度に投影できるエリアであって、全体として３つの走査バンドＳＢ１〜ＳＢ３に渡る露光幅Ｋをもち、同時にパターン形成可能となる。ＤＭＤ２２の部分領域ＤＭ１、ＤＭ２、ＤＭ３では、それぞれ走査バンドＳＢ１、ＳＢ２、ＳＢ３に形成すべきパターン像の描画データに基づき、各マイクロミラーがＯＮ／ＯＦＦ制御される。
【００４４】
また、露光動作中の部分投影エリアＴＡ１、ＴＡ２、ＴＡ３は、主走査方向に沿って互いに所定間隔Ｌだけ離れている。ＤＭＤ２２の部分領域ＤＭ１に応じた部分投影エリアＴＡ１が先頭の投影位置に該当し、部分投影エリアＴＡ２、ＴＡ３が所定時間遅れて同じＸ方向座標位置を通過していく。
【００４５】
次に、図５〜７を用いて、画像分割光学系の構成について説明する。
【００４６】
図５は、画像分割光学系の概略的斜視図である。図６は、画像分割光学系の概略的分解斜視図である。図７は、画像分割光学系の一部構成を示した図である。
【００４７】
画像分割光学系２７は、プリズムなどの光学部材から構成されており、一対の反射光学系によって構成される。ただし、図５、６では、一方の反射光学系２７Ａのみ図示している。
【００４８】
画像分割光学系２７は、露光面ＳＷに平行な第１結像光学系２６の結像面ＦＳに形成されるパターン像ＭＰを、結像面ＦＳ上において３分割する。反射光学系２７Ａは、ＤＭＤ２２の部分領域ＤＭ１に応じた分割パターン像ＭＰ１を形成し、投影する光学系であり、図示しない他方の反射光学系は、部分領域ＤＭ３に応じた分割パターン像ＭＰ３を形成する。
【００４９】
反射光学系２７Ａは、２つのプリズム４２、４４と、光路長調整光学部材４６から構成される。プリズム４２は、互いに平行平面関係にある一対の反射面４２Ｒ１、４２Ｒ２を有し、また、プリズム４４も、互いに平行平面関係にある一対の反射面４４Ｒ１、４４Ｒ２を有する（図５、６参照）。
【００５０】
反射光学系２７Ａの光入射面となるプリズム表面４２Ｓは、第１結像光学系２６の結像面ＦＳに位置し、ＤＭＤ２２の部分領域ＤＭ１（図４参照）からの反射光によって形成される画像部分ＭＰ０１の光、すなわち分割パターン像の光がプリズム４２に入射する。他方の反射光学系には、部分領域ＤＭ３からの反射光によって形成される画像部分ＭＰ０３の光が入射する。部分領域ＤＭ２に応じた画像部分ＭＰ０２の光は、どちらの反射光学系にも入射せずそのまま直進する。
【００５１】
図７に示すように、プリズム４２に設けられた反射面４２Ｒ１は、第１投影光学系２６の結像面ＦＳに対して交差せず、接している。具体的には、その一辺４２ＲＥがプリズム表面４２Ｓに位置し、プリズム表面４２Ｓに対し傾斜している。また、反射面４２Ｒ１の辺４２ＲＥは、副走査方向に応じた方向に沿って延び、ＤＭＤ２２に規定された部分領域ＤＭ１〜ＤＭ３の境界ライン方向に対応している。
【００５２】
反射面４２Ｒ１は、パターン像ＭＰの画像部分ＭＰ０１における境界ライン全体を結像面ＦＳに規定する。他の反射光学系においても同様に反射面が配置構成されており、パターン像ＭＰの画像部分ＭＰ０３を規定する境界ライン全体が反射面の一辺に対応し、結像面ＦＳ上に位置する。
【００５３】
このようにパターン像ＭＰは、結像面ＦＳに位置する反射面の辺（境界ライン）に従い、結像面ＦＳ上で３つの画像部分ＭＰ０１〜ＭＰ０３に分割され、それぞれ分割パターン像として規定される。画像部分ＭＰ０１を形成する反射光は、反射光学系２７Ａに入射すると、プリズム４２の反射面４２Ｒ１で反射する。
【００５４】
上述したように、プリズム４２の一対の反射面４２Ｒ１、４２Ｒ２は、平行平面関係にあり、入射光が反射面４２Ｒ１、反射面４２Ｒ２によって順に反射することにより、画像部分ＭＰ０１の投影位置は、主走査方向Ｘに沿って移動（シフト）する。反射面４２Ｒ２において反射した光は、プリズム４４に入射する。
【００５５】
ブロック４４Ａ、４４Ｂから成るプリズム４４に入射した光は、平行平面関係にある一対の反射面４４Ｒ１、４４Ｒ２によって順次反射する。これにより、主走査方向Ｘに沿って移動された画像部分ＭＰ０１の投影位置が、さらに副走査方向Ｙに沿って移動する。
【００５６】
他方の反射光学系も反射光学系２７Ａと同一形状の光学系で構成されており、同様に２つのプリズムを備え、各プリズムには平行平面関係にある１対の反射面が設けられている。ただし、他方の反射光学系は反射光学系２７Ａと対向するように回転して配置されている。そのため、反射光学系２７Ａでは、画像部分ＭＰ０１の投影位置を、主走査方向Ｘに関してプラス方向、副走査方向Ｙに関してマイナス方向に移動させるに対し、他方の反射光学系では、画像部分ＭＰ０３の投影位置を、主走査方向Ｘに関してマイナス方向、副走査方向Ｙに関してプラス方向に移動させる。
【００５７】
反射光学系２７のプリズム４４から出射した光は、光路長調整光学部材４６に入射する。光路長調整光学部材４６は、２つの反射光学系いずれにも入射しない画像部分ＭＰ０２の光に対する露光面ＳＷまでの光路長と、反射光学系２７Ａに入射する画像部分ＭＰ０１の光の光路長を一致させるように、所定のサイズ、屈折率を有する。
【００５８】
そして、他方の反射光学系にも、同じように光路長調整光学部材が設けられている。これにより、第１結像面ＦＳにおいて分割規定された３つの分割パターン像ＭＰ１、ＭＰ２、ＭＰ３は、第２結像光学系２８により露光面ＳＷに合焦画像（ピントの合った画像）として形成される。
【００５９】
なお、画像部分ＭＰ０１と画像部分ＭＰ０３の光に対しそれぞれ光路長の調整を行う代わりに、画像部分ＭＰ０２の光にのみ光路長の調整を行ってもよい。また、光路長調整光学部材は、所定のサイズ、屈折率を有する透明体を用いる代わりに、複数の反射面を組み合わせて光路長を調整する反射光学系を用いても良いし、リレーレンズなどの屈折光学系、あるいはそれらの組み合わせを用いても良い。
【００６０】
図８は、描画装置に設けられた描画制御部のブロック図である。
【００６１】
描画制御部５０は、外部のワークステーション（図示せず）と接続され、モニタ５０Ｂ、キーボード５０Ｃが接続される露光制御部５２を備える。露光制御部５２は、露光動作処理を制御し、露光データ生成部７６、タイミングコントロール回路７３、描画テーブル制御回路５３、光源制御部６１などの回路へ制御信号を出力する。露光動作処理を制御するプログラムは、露光制御部５２内のＲＯＭ（図示せず）に格納されている。
【００６２】
ワークステーション（図示せず）から露光制御部５２に入力されるパターンデータは、描画パターンの位置情報（輪郭位置情報）をもつベクタデータ（ＣＡＤ／ＣＡＭデータ）であり、Ｘ−Ｙ座標系に基づいた位置座標データとして表される。
【００６３】
第１、第２、第３ラスタデータ生成部７２Ａ、７２Ｂ、７２Ｃは、ベクタデータを変換し、それぞれ、走査バンドＳＢ１、ＳＢ２、ＳＢ３に描画すべきパターンのラスタデータを順次生成する。生成されたラスタデータは、それぞれ第１、第２、第３バッファメモリ７４Ａ、７４Ｂ、７４Ｃに一時的に格納される。
【００６４】
各バッファメモリに一時的に格納されるラスタデータは、露光ピッチにあわせて出力される。すなわち、露光ピッチ分だけ部分投影エリアが移動して次の露光動作を実行可能となったとき、ラスタデータ出力が行なわれる。第１、第２、第３ラスタデータ生成部７２Ａ、７２Ｂ、７２Ｃにおけるラスタデータの出力制御は、露光制御部５２に設けられたアドレス制御回路（図示せず）から出力される制御信号に基づいて行われる。
【００６５】
ラスタデータが露光データ生成部７６へ送られると、露光データ生成部７６では、部分投影エリアＴＡ１、ＴＡ２、ＴＡ３の位置に応じたラスタデータが統合し、ＤＭＤ２２の各マイクロミラーをＯＮ／ＯＦＦ制御する信号が、ＤＭＤ２２全体に対する１つの露光データとして生成される。ＤＭＤ２２では、露光データ生成部７６から出力される露光データに基づき、マイクロミラーがＯＮ／ＯＦＦ制御される。
【００６６】
タイミングコントロール回路７３は、バッファメモリ７４Ａ、７４Ｂ、７４Ｃ、露光データ生成部７６等に対し、タイミング調整のためクロックパルス信号を同期信号として出力する。また、ＣＣＤセンサ１９から出力される画像信号に基づき、画像処理部６２は基板ＳＷに形成されたアライメントマークの位置を検出する。
【００６７】
描画テーブル制御回路５３は、駆動回路５４を介してモータ（図示せず）を備えたＸ−Ｙステージ駆動機構５６を制御し、これによって描画テーブル１８の移動速度、基板送り方向等が制御される。位置検出センサ５５は、描画テーブル１８の位置、すなわち部分投影エリアＴＡ１、ＴＡ２、ＴＡ３の描画テーブル１８に対する相対的位置を検出する。
【００６８】
露光ヘッド２０２に対しても、同様にラスタデータ変換処理、ＤＭＤ駆動処理等に関する回路（図示せず）が設けられており、同様の露光動作処理が行われる。
【００６９】
次に、図９、１０を用いて、バッファメモリの構造と、ラスタデータ生成処理および露光データ生成処理について説明する。
【００７０】
図９は、バッファメモリの容量およびラスタデータ生成位置を示した図である。図１０は、露光面上の分割パターン像の投影位置を示した図である。
【００７１】
ラスタデータの生成処理と、ＤＭＤ２２を駆動制御する露光データ生成処理は、別々かつ非同期で行なわれている。本実施形態では、ラスタデータ生成処理において、主走査方向Ｘに沿って共通の基準位置Ｘ０に従い、ラスタデータを生成する。露光制御部５２は、ラスタデータ生成部７２Ａ、７２Ｂ、７２Ｃに対し、共通の同期信号でラスタデータ出力タイミングを調整する。
【００７２】
一方で、バッファメモリ７４Ａ、７４Ｂ、７４Ｃを設けることにより、露光データ生成部７６に入力されるラスタデータのタイミングが、部分投影エリアＴＡ１、ＴＡ２、ＴＡ３の実際の位置に合わせて調整される。
【００７３】
バッファメモリ７４Ａ、７４Ｂ、７４Ｃは、シフトレジスタによって構成されるＦＩＦＯ型、同期型メモリであり、メモリ容量は、それぞれ部分投影エリアの位置に従って異なる。ＤＭＤ２２の部分領域ＤＭ１に応じたバッファメモリ７４Ａのメモリ容量（サイズ）が最も少なく、部分投影エリアＴＡ２、ＴＡ３のメモリ容量が相対的に大きい。
【００７４】
各バッファメモリはシフトレジスタで構成されることから、メモリ容量が多いほど、入力した露光データの出力タイミングが遅くなる。その結果、部分領域ＤＭ２、ＤＭ３に対するラスタデータは、部分領域ＤＭ１のラスタデータよりもタイミングが遅れて露光データ生成部７６へ出力される。第２バッファメモリ７４Ｂ、第３バッファメモリ７４Ｃのメモリ容量は、部分投影エリアＴＡ１に対する部分投影エリアＴＡ２、ＴＡ３の距離間隔Ｌ、２Ｌに合わせた容量に定められている。
【００７５】
部分投影エリアＴＡ１の位置が基準位置Ｘ０として定められており、対応するバッファメモリ７４Ａのメモリサイズは、例えば部分領域ＤＭ１のサイズに相当する容量に設定できる。一方、部分投影エリアＴＡ２は主走査方向Ｘに沿って部分投影エリアＴＡ１よりも距離間隔Ｌだけ後方に位置するため、その距離間隔Ｌ分だけメモリ容量が大きい。さらに、部分投影エリアＴＡ２は、距離間隔２Ｌ分だけメモリ容量が大きい。
【００７６】
バッファメモリ７４Ａとバッファメモリ７４Ｂのメモリ容量の差は、以下の式によって表すことができる。ただし、部分投影エリアＴＡ２のＸ座標をＸ１、露光ピッチをＰＰ、そして、ＭＡ、ＭＢは、それぞれ第１バッファメモリ７４Ａ、第２バッファメモリ７４Ｂのメモリ容量を示す。また、［・・］は整数部分の値を表す。
［（Ｘ０−Ｘ１)／ＰＰ］＝ＭＢ−ＭＡ                ・・・・（１）
【００７７】
同様に、バッファメモリ７４Ａとバッファメモリ７４Ｃのメモリ容量の差は、以下の式によって表すことができる。ただし、ＭＣはバッファメモリ７４Ｃのメモリ容量を表す。
［（Ｘ０−Ｘ２）／ＰＰ］＝ＭＣ−ＭＡ                ・・・・（２）
【００７８】
したがって、（１）、（２）式に基づき、データ処理上で座標単位となる露光ピッチＰＰ、第１バッファメモリ７４のメモリ容量が定められると、部分投影エリアＴＡ１、ＴＡ２、ＴＡ３の相互の距離間隔に基づき、第２、第３バッファメモリ７４Ｂ、７４Ｃのメモリ容量を定めることができる。その結果、バッファメモリ７４Ａ、７４Ｂ、７４Ｃから出力されるラスタデータは、実際の部分投影エリアＴＡ１、ＴＡ２、ＴＡ３の位置に対応するデータとなる。
【００７９】
なお、［（Ｘ０−Ｘ１)／ＰＰ］、［（Ｘ０−Ｘ２）／ＰＰ］の小数値については、あらかじめオフセット値として設定され、露光位置に加算されている。
【００８０】
図１１は、ラスタデータ生成処理を示したフローチャートである。
【００８１】
最初の露光位置が設定されて描画処理が開始されると、走査バンドＳＢ１〜ＳＢ３に対するラスタデータが生成される。生成される３つのラスタデータは、走査バンドＳＢ１を相対移動する部分投影エリアＴＡ１の基準位置Ｘ０に合わせて順次生成される（Ｓ１０１、Ｓ１０２）。
【００８２】
第１〜第３バッファメモリ７４Ａ〜７４Ｃにデータ書き込み可能な空き容量がある場合、生成された３つのラスタデータを第１〜第３バッファメモリ７４Ａ〜７４Ｃに送信する（Ｓ１０３、Ｓ１０４）。ラスタデータが送信されると、次の新たなラスタデータが生成される。描画が終了するまで、ラスタデータの生成処理が繰り返し実行される（Ｓ１０５）。
【００８３】
図１２は、露光データ生成処理、露光動作処理を示したフローチャートである。
【００８４】
最初の露光位置が設定されて描画処理が開始されると、描画ステージ１８が所定速度で移動するように制御される（Ｓ２０１、Ｓ２０２）。露光位置に到達すると、対応するラスタデータが、第１〜第３バッファメモリ７４Ａ〜７４Ｃから読み出され、露光データ生成部７６へ送られる。これにより、ＤＭＤ２２全体に対する１つの露光データが生成される（Ｓ２０３、Ｓ２０４）。
【００８５】
露光動作処理は、露光データに基づいて各マイクロミラーがＯＮ／ＯＦＦ制御されることによって実行される。ここでは多重露光方式が適用されているため、露光ピッチは部分投影エリア幅より短い。露光時間は、露光ピッチよりも短い時間に定められている。
【００８６】
描画テーブル１８は連続的に移動しており、露光ピッチＰＰ分の距離だけ描画テーブル１８がさらに移動すると、新たな露光位置に応じたラスタデータが、第１〜第３バッファメモリ７４Ａ〜７４Ｃから読み出される。描画が終了するまで、露光データ生成処理および露光動作処理が繰り返し行われる。
【００８７】
このように本実施形態によれば、画像分割光学系２７により、パターン像ＭＰが第１投影光学系２６の結像面ＦＳにおいて３分割される。そして、第１結像光学系の結像面ＦＳに規定された分割パターン像の光を露光面ＳＷに結像させる過程において、中間部の画像部分ＭＰ０２以外の両側の画像部分ＭＰ０１、ＭＰ０３が、画像分割光学系２７により、主走査方向、そして副走査方向へ順に移動する。これにより、３つの分割パターン像ＭＰ１、ＭＰ２、ＭＰ３が、主走査方向Ｘに関して互いに間隔を空けながら、副走査方向Ｙに沿って並んで形成される。
【００８８】
パターン像ＭＰの分割ライン（境界ライン）は、アパーチャーの枠部分に相当し、光量不足になると分割画像周辺の不鮮明になる。反射光学系２７Ａの反射面４２Ｒ１が結像面ＦＳに交差せず、一辺４２ＲＥが結像面ＦＳ上に位置することにより、パターン像ＭＰの分割ライン全体が合焦位置（パターン像のピントが合う位置）にある。そのため、光量不足になることなく、各分割パターン像とも全体的に鮮明な合焦画像として形成することができる。
【００８９】
さらに、本実施形態では、ラスタデータ生成部７２Ａ、７２Ｂ、７２Ｃにおいて共通する基準位置に基づくラスタデータが生成された後、ラスタデータが一時的にバッファメモリ７４Ａ、７４Ｂ、７４Ｃに格納される。シフトレジスタで構成されるバッファメモリ７４Ａ、７４Ｂ、７４Ｃは、部分投影エリアＴＡ１、ＴＡ２、ＴＡ３の相互距離間隔に応じてそれぞれメモリ容量が相違し、ラスタデータの入力から出力するまでにかかる時間が相違することによって、分割パターン像の投影位置が結果的に等距離間隔で互いに離れた位置になる。
【００９０】
ラスタデータ生成、露光データ生成を含めた一連のデータ処理では、ラスタデータ生成処理と露光データ生成処理が非同期で独立している構成を採用し、ラスタデータ生成処理がタクトタイムに影響しないように構成されている。そして、ラスタデータの生成、読み出しは共通の基準位置に合わせて実行し、バッファメモリ７４Ａ、７４Ｂ、７４Ｃからの出力タイミングを別々に調整することにより、実際の部分投影エリアＴＡ１、ＴＡ２、ＴＡ３の位置に応じたラスタデータが統合され、ＤＭＤ２２全体に対する１つの露光データが生成される。
【００９１】
ラスタデータ生成処理においては、部分投影エリアＴＡ１、ＴＡ２、ＴＡ３の主走査方向Ｘに沿った位置の相違に関係なく共通の基準位置に基づいてラスタデータ生成処理を行なうことができるため、主走査方向Ｘに関する描画開始位置、終了位置付近で余分なデータ処理をする必要がなくなる。
【００９２】
また、共通の基準位置に基づいてラスタデータ生成処理を行なうため、部分投影エリアごとに読み出しアドレス演算する必要がなく、１つのアドレス制御回路によるアドレス制御によって複数のラスタデータ生成処理、読み出し処理を行うことができる。
【００９３】
さらに、露光データの入力（統合）タイミングはバッファメモリの容量サイズによって調整されるため、１つの部分投影エリアだけを必要な位置情報として検出すれば、他の部分投影エリアの位置情報については特に検出する必要がなく、自動的に部分投影エリアの位置にあわせたパターン像が投影される。
【００９４】
また、シフトレジスタで構成されるバッファメモリの容量サイズを調整することによってラスタデータの出力タイミング調整を行なうことにより、バッファメモリ容量を必要最低限の容量に抑えることができる。
【００９５】
画像分割に関しては、パターン像を２つに分割してもよい。この場合、パターン像を２等分されてそれぞれ上述した反射光学系により移動させてよく、あるいは、一方の分割部分だけを反射光学系によって移動させるように構成してもよい。
【００９６】
分割パターン像ＭＰ１、ＭＰ２、ＭＰ３については、副走査方向に沿って互いにオーバラップするように副走査方向に沿って配列させることも可能であり、あるいは、副走査方向に沿って互いに間隔が設けられるように投影位置を移動させることも可能である。
【００９７】
副走査方向に沿った複数の部分画像の配列については、反射光学系以外の光学系を用いて特定の画像部分を移動させるようにすることも可能である。また、移動させる画像部分および移動方向については、上述した構成以外でも可能であり、例えば、パターン像の一方の端部側にある画像部分を移動させず、中間部、他方の端部の画像部分を移動させるように構成してもよい。
【００９８】
バッファメモリについては、入力タイミングと出力タイミングを非同期にするＦＩＦＯ型バッファメモリを代わりに使用することにより、複数のラスタデータの出力タイミングをそれぞれ調整することも可能である。
【００９９】
次に、図１３、１４を用いて第２の実施形態である露光装置について説明する。第２の実施形態では、パターン像を９０度回転して露光面に投影する画像分割光学系が用いられ、分割パターン像が副走査方向に沿って一列に並ぶ。それ以外の構成については、第１の実施形態とほぼ同じである。
【０１００】
図１３は、第２の実施形態における画像分割光学系の概略的斜視図である。図１４は、第２の実施形態における分割パターン像の投影位置を示した図である。
【０１０１】
画像分割光学系１２７は、プリズム１４２と、プリズム１４２に対して対称的に配置される一対のプリズム１４４、１４６を備える。ＤＭＤからのパターン光は、第１の実施形態と異なり、露光面に平行な方向に沿ってプリズム１４２に入射する。
【０１０２】
三角柱状のプリズム１４２の１辺は、ここでは図示しない第１結像光学系の結像面上に位置し、副走査方向に沿っている。これにより、パターン像ＭＰが結像面上において２分割される。ただし、第１結像光学系の結像面は、露光面に直交する。
【０１０３】
分割パターン像となる画像部分ＭＰ０１、ＭＰ０２の光は、プリズム１４２の表面に形成された反射面によって互いに逆方向に導かれる。このとき、反射面は、入射した光を直角に反射させる。さらに、プリズム１４２からの光は、プリズム１４４、１４６の表面にそれぞれ形成された反射面に反射することにより、画像部分ＭＰ０１、ＭＰ０２の光は、直角に反射し、これによって分割パターン像ＭＰ１、ＭＰ２が露光面に形成される。
【０１０４】
図１４に示すように、分割パターン像ＭＰ１、ＭＰ２は、主走査方向Ｘに関して同じ位置に投影される。また、分割パターン像ＭＰ１、ＭＰ２は、副走査方向Ｙに沿って互いに離れた位置に投影される。なお、第２の実施形態では、バッファメモリによるラスタデータの出力タイミング調整は行われず、また、光路長補正用光学部材も配置されない。
【０１０５】
なお、画像分割光学系を特徴とした露光装置を考慮すれば、上述したような、ラスタデータ生成処理と露光データ生成処理の間にバッファメモリを設けてタイミング調整する構成だけでなく、ラスタデータ生成処理、露光データ生成処理を一体的な処理とし、ラスタデータの生成、出力タイミングを走査バンドごとに異なるタイミングに設定してもよい。
【符号の説明】
【０１０６】
１０  描画装置（露光装置）
２２  ＤＭＤ（光変調素子アレイ）
２４  投影光学系
２６  第１結像光学系(第１光学系)
２７  画像分割光学系
２７Ａ  反射光学系
２８  第２結像光学系(第２光学系)
４２Ｒ１、４２Ｒ２  反射面
４２ＲＥ  辺
４４Ｒ１、４４Ｒ２  反射面
５０  描画制御部
７２Ａ、７２Ｂ、７２Ｃ  ラスタデータ生成部
７４Ａ、７４Ｂ、７４Ｃ  バッファメモリ
７６  露光データ生成部
ＴＡ１、ＴＡ２、ＴＡ３  部分投影エリア
ＳＷ  基板、露光面
ＦＳ  結像面
ＭＰ  パターン像
ＭＰ１、ＭＰ２、ＭＰ３  分割パターン像
【図１】
0005881313.tif 000002
【図２】
0005881313.tif 000003
【図３】
0005881313.tif 000004
【図４】
0005881313.tif 000005
【図５】
0005881313.tif 000006
【図６】
0005881313.tif 000007
【図７】
0005881313.tif 000008
【図８】
0005881313.tif 000009
【図９】
0005881313.tif 000010
【図１０】
0005881313.tif 000011
【図１１】
0005881313.tif 000012
【図１２】
0005881313.tif 000013
【図１３】
0005881313.tif 000014
【図１４】
0005881313.tif 000015